(57)【要約】【課題】季節問わず照明の点灯や換気装置の作動の誤動作を防止することができることを目的とする。【解決手段】本体枠７に温度センサ１７を設けて温度センサ１７の検知温度によりファンモーター部を強制に作動させることにより、温度センサ１７により室内であるトイレ空間４の温度が体温近くに上昇したときにファンモーター部を強制的に作動させ室外の空気を室内に流入させる室内であるトイレ空間４の温度を下降させることとなり、季節問わず照明の点灯や換気装置の作動の誤動作を防止することができる換気装置を得られる。【選択図】図１
2016169878.tif 000002
【特許請求の範囲】
【請求項１】
壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサとを設け、前記温度センサの検知温度により前記ファンモーター部を強制に作動させることを特徴とする換気装置。
【請求項２】
壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサと高感度の高感度人感センサ部とを設け、温度センサの検知温度により人の検知を低感度人感センサ部あるいは高感度人感センサ部とに切り替えることを特徴とする換気装置。
【発明の詳細な説明】
【技術分野】
【０００１】
本発明は、室内の照明と換気機能とを併用する換気装置に関するものである。
【背景技術】
【０００２】
従来、この種の換気装置は、壁部１０１に排気用の換気装置が設置されている（例えば、特許文献１参照）。
【０００３】
以下、特許文献１に記載の換気装置について図７を参照しながら説明する。
【０００４】
図に示すように、壁部１０１に設けた換気口（図示せず）に挿入され屋外に空気を吹き出す吹出部（図示せず）と、室内１０２の空気を吸い込む吸込部（図示せず）と、壁部１０１の換気口に沿うように延設した本体枠１０３と、吸込部から吹出部に空気を搬送するファンモーター部（図示せず）と、室内側を明るくする照明部（図示せず）と人の感知を行なう人感センサ部１０４と、照明部と人感センサ部１０４の制御を行なう制御部（図示せず）を有している。
【先行技術文献】
【特許文献】
【０００５】
【特許文献１】特開２０１２−９３０３９号公報
【発明の概要】
【発明が解決しようとする課題】
【０００６】
このような従来の換気装置においては、人感センサ１０４で人を検知して照明部とファンモーター部とを一つの本体に備えトイレの壁面である室内１０２等に本体を取り付ける換気装置で、一般的に、温度差を検知して測定する人感センサ１０４は高感度のものを使用している。
【０００７】
しかし、冬場の時、人が居ない場合でも室外の冷気が本体に流入し人感センサ１０４の検知範囲に入って温度差が生じた場合人が居ると判断して照明部が点灯したりファンモーター部が作動したりという誤動作が発生するので人感センサ１０４の感度を下げる対策を行う。
【０００８】
しかし、夏場の場合、体温に近い気温になった場合人と周りの雰囲気との温度差がなくなり人感センサ１０４が人の検知ができず照明部の点灯やファンモーター部の作動が誤動作する、という課題を有していた。
【０００９】
そこで本発明は、上記従来の課題を解決するものであり、季節問わず照明の点灯や換気装置の作動の誤動作を防止することができる換気装置を提供することを目的とする。
【課題を解決するための手段】
【００１０】
そして、この目的を達成するために、本発明は、壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサとを設け、前記温度センサの検知温度により前記ファンモーター部を強制に作動させることとしたものであり、これにより所期の目的を達成するものである。
【００１１】
また、本発明は、壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサと高感度の高感度人感センサ部とを設け、温度センサの検知温度により人の検知を低感度人感センサ部あるいは高感度人感センサ部とに切り替えることとしたものであり、これにより所期の目的を達成するものである。
【発明の効果】
【００１２】
本発明によれば、壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサとを設け、前記温度センサの検知温度により前記ファンモーター部を強制に作動させる、という構成にしたことにより、温度センサにより室内の温度が体温近くに上昇したときにファンモーター部を強制的に作動させ室外の空気を室内に流入させる室内の温度を下降させることとなるので、季節問わず照明の点灯や換気装置の作動の誤動作を防止することができる、という効果を得ることができる。
【００１３】
また、本発明によれば、
壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーターの制御を行なう制御部を有し、前記本体枠に温度センサと高感度の高感度人感センサ部とを設け、温度センサの検知温度により人の検知を低感度人感センサ部あるいは高感度人感センサ部とに切り替える、という構成にしたことにより、温度センサの検知温度により室内の温度が人の体温に近いときには高感度人感センサ部を用いその他の温度の場合は低感度人感センサ部を用いるように切り替えることとなるので、ランニングコストを低減するとともに季節問わず照明の点灯や換気装置の作動の誤動作を防止することができる、という効果を得ることができる。
【図面の簡単な説明】
【００１４】
【図１】本発明の実施の形態１の換気装置の前方から見た斜視図
【図２】同換気装置の内部構造を前方から見た斜視図
【図３】同換気装置の内部構造を上方から見た構成図
【図４】本発明の実施の形態２の換気装置の前方から見た斜視図
【図５】同換気装置の内部構造を前方から見た斜視図
【図６】同換気装置の内部構造を上方から見た構成図
【図７】従来の換気装置の前方から見た斜視図
【発明を実施するための形態】
【００１５】
本発明の請求項１記載の換気装置は、壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサとを設け、前記温度センサの検知温度により前記ファンモーター部を強制に作動させる、という構成を有する。これにより、温度センサにより室内の温度が体温近くに上昇したときにファンモーター部を強制的に作動させ室外の空気を室内に流入させる室内の温度を下降させることとなるので、季節問わず照明の点灯や換気装置の作動の誤動作を防止することができる、という効果を奏する。
【００１６】
また、壁部に設けた換気口に挿入され屋外に空気を吹き出す吹出部と、室内の空気を吸い込む吸込部と、前記壁部の換気口を覆うように本体枠と、前記吸込部から吹出部に空気を搬送するファンモーター部と、前記室内側を明るくする照明部と人の感知を行なう低感度の低感度人感センサ部と、前記照明部と前記ファンモーター部の制御を行なう制御部を有し、前記本体枠に温度センサと高感度の高感度人感センサ部とを設け、温度センサの検知温度により人の検知を低感度人感センサ部あるいは高感度人感センサ部とに切り替える、という構成にしてもよい。これにより、温度センサの検知温度により室内の温度が人の体温に近いときには高感度人感センサ部を用いその他の温度の場合は低感度人感センサ部を用いるように切り替えることとなるので、ランニングコストを低減するとともに季節問わず照明の点灯や換気装置の作動の誤動作を防止することができる、という効果を奏する。
【００１７】
以下、本発明の実施の形態について図面を参照しながら説明する。
【００１８】
（実施の形態１）
図１〜図３に示すように、換気装置１は、背面２の略中央に凸部３を設ける。
【００１９】
そして、凸部３は、例えば室内空間としてのトイレ空間４の壁部５に設けた換気口６に挿入する。
【００２０】
そして、換気装置１を形成する本体枠７は、背面２側に屋外８に空気を吹き出す凸部３に有した吹出部である吹出口９を設ける。
【００２１】
そして、本体枠７のトイレ空間４側には、トイレ空間４の空気１０を吸い込む吸込部である吸込口１１を設ける。
【００２２】
そして、本体枠７は壁部５の換気口６を覆うように設ける。
【００２３】
そして、本体枠７内に吸込口１１から吹出口９に空気１０を搬送するＡＣモータに多翼ファンで構成されたファンモーター部１２を設ける。
【００２４】
そして、本体枠７の横方向のファンモーター部１２が設置していない側には、室内すなわちトイレ空間４側を明るくする蛍光灯やＬＥＤや白熱電球等の照明部１３を設ける。
【００２５】
なお、この実施の形態１では、電球型蛍光灯を用いている。
【００２６】
そして、本体枠７の前面１４の吸込口１１の下方に、人の感知を行なう低感度の低感度人感センサ部１５を設ける。
【００２７】
そして、本体枠７の照明部１３とファンモーター部１２との間の内部には、照明部１３およびファンモーター部１２の照明の点灯や消灯およびファンモーター部１２の運転や停止の制御を行なう制御部１６を設ける。
【００２８】
そして、本体枠７の低感度人感センサ部１５の隣に温度センサ１７を設ける。
【００２９】
そして、温度センサ１７の検知温度（例えば、体温の３５度）によりファンモーター部１２を強制に作動させる。
【００３０】
これにより、温度センサ１７により室内すなわちトイレ空間４の温度が体温近くに上昇したときにファンモーター部１２を強制的に作動させ室外すなわち他の部屋である居室や居間等の空気を室内すなわちトイレ空間４に流入させ室内であるトイレ空間４の温度を下降させ、人の体温をきちんと検知させることができるので、季節問わず照明部１３の点灯や換気装置のファンモーター部１２の作動の誤動作を防止することができることとなる。
【００３１】
（実施の形態２）
図４〜図６に示すように、換気装置１は、背面２の略中央に凸部３を設ける。
【００３２】
そして、凸部３は、例えば室内空間としてのトイレ空間４の壁部５に設けた換気口６に挿入する。
【００３３】
そして、換気装置１を形成する本体枠７は、背面２側に屋外８に空気を吹き出す凸部３に有した吹出部である吹出口９を設ける。
【００３４】
そして、本体枠７のトイレ空間４側には、トイレ空間４の空気１０を吸い込む吸込部である吸込口１１を設ける。
【００３５】
そして、本体枠７は壁部５の換気口６を覆うように設ける。
【００３６】
そして、本体枠７内に吸込口１１から吹出口９に空気１０を搬送するＡＣモータに多翼ファンで構成されたファンモーター部１２を設ける。
【００３７】
そして、本体枠７の横方向のファンモーター部１２が設置していない側には、室内すなわちトイレ空間４側を明るくする蛍光灯やＬＥＤや白熱電球等の照明部１３を設ける。
【００３８】
なお、この実施の形態１では、電球型蛍光灯を用いている。
【００３９】
そして、本体枠７の前面１４の吸込口１１の下方に、人の感知を行なう低感度の低感度人感センサ部１５を設ける。
そして、本体枠７の照明部１３とファンモーター部１２との間の内部には、照明部１３およびファンモーター部１２の照明の点灯や消灯およびファンモーター部１２の運転や停止の制御を行なう制御部１６を設ける。
【００４０】
そして、本体枠７の前面１４に温度センサ１７を設ける。
【００４１】
そして、高感度の高感度人感センサ部１８を低感度人感センサ部１５の隣に設け、温度センサ１７の検知温度により人の検知を低感度人感センサ部１５あるいは高感度人感センサ部１８とに切り替える。
【００４２】
これにより、温度センサ１７の検知温度により室内すなわちトイレ空間４の温度が人の体温に近い例えば３５度のときには高感度人感センサ部１８を用い、その他の温度の場合は低感度人感センサ部１５を用いるように切り替えるので、特に大きな電力を用いて人の検知をするということがない分ランニングコストを低減するができ、結果、季節問わず照明の点灯や換気装置の作動の誤動作を防止することができる。
【産業上の利用可能性】
【００４３】
本発明にかかる換気装置は、季節問わず照明の点灯や換気装置の作動の誤動作を防止することができることを可能とするものであるので、空気調和機等としても有用である。
【符号の説明】
【００４４】
１    換気装置
２    背面
３    凸部
４    トイレ空間
５    壁部
６    換気口
７    本体枠
８    屋外
９    吹出口
１０  空気
１１  吸込口
１２  ファンモーター部
１３  照明部
１４  前面
１５  低感度人感センサ部
１６  制御部
１７  温度センサ
１８  高感度人感センサ部
【図１】
2016169878.tif 000003
【図２】
2016169878.tif 000004
【図３】
2016169878.tif 000005
【図４】
2016169878.tif 000006
【図５】
2016169878.tif 000007
【図６】
2016169878.tif 000008
【図７】
2016169878.tif 000009